(57)【特許請求の範囲】
【請求項１】
ユーザ端末において、個別コンテンツ領域の一部が画面に表示される場合、前記表示された画面にタッチされた状態の移動感知に伴うタッチ移動感知信号を受信するタッチ移動感知信号受信部と、
前記感知されたタッチ状態の移動に伴うタッチ座標変化量を算出し、前記算出されたタッチ座標変化量に応じてスクロール方向を決定するスクロール方向決定部と、
前記感知されたタッチ状態の移動によるタッチ座標の変化に見合うスクロール長さを計算するスクロール長さ計算部と、
前記計算されたスクロール長さに見合う分だけ前記個別コンテンツ領域のスクロールトップの値を変更するスクロールトップ調節部と、
を備えるウェブページ提供サーバ。
【請求項２】
前記個別コンテンツ領域は、全体のウェブページにおいてディブによってそれぞれ区別され、前記ユーザ端末に表示される部分と表示されない部分を有することを特徴とする請求項１に記載のウェブページ提供サーバ。
【請求項３】
前記スクロール方向決定部は、前記タッチ状態の移動に伴って算出された座標変化量のうちＹ座標値の変化量がプラスであれば下方向へのスクロールを行うように、且つ、マイナスであれば上方向へのスクロールを行うようにスクロール方向を決定することを特徴とする請求項１に記載のウェブページ提供サーバ。
【請求項４】
ウェブページにおいて、個別コンテンツ領域の一部を画面に表示し、前記表示された画面に対するタッチされた状態の移動を感知するユーザ端末と、
前記ユーザ端末において、前記個別コンテンツ領域の一部が画面に表示される場合、前記タッチされた状態の移動が感知されれば、前記感知されたタッチ状態の移動に伴うタッチ座標変化量を算出し、前記算出されたタッチ座標変化量に応じてスクロール方向を決定し、前記感知されたタッチ状態の移動に伴うタッチ座標変化に見合うスクロール長さを計算して、前記計算されたスクロール長さに見合う分だけ前記個別コンテンツ領域のスクロールトップの値を変更するウェブページ提供サーバと、
を備えるウェブページのスクロールトップ属性を用いたスクロール遂行システム。
【請求項５】
ウェブページ提供サーバがウェブページのスクロールトップ属性を用いてスクロールを行う方法において、
ユーザ端末において、個別コンテンツ領域の一部が画面に表示される場合、前記表示された画面にタッチされた状態の移動が感知されることによりタッチ移動感知信号を受信するステップと、
前記タッチ移動感知信号に基づいてタッチ状態の移動に伴うタッチ座標変化量を算出するステップと、
前記算出されたタッチ座標変化量に応じてスクロール方向を決定するステップと、
前記タッチ移動感知信号に基づいてタッチ状態の移動に伴うタッチ座標変化に見合うスクロール長さを計算するステップと、
前記計算されたスクロール長さに見合う分だけ前記個別コンテンツ領域のスクロールトップの値を変更するステップと、
を含むウェブページのスクロールトップ属性を用いたスクロール遂行方法。
【請求項６】
前記個別コンテンツ領域は、全体のウェブページにおいてディブによってそれぞれ区別され、前記ユーザ端末に表示される部分と表示されない部分を有することを特徴とする請求項５に記載のウェブページのスクロールトップ属性を用いたスクロール遂行方法。
【請求項７】
前記スクロール方向決定ステップは、前記タッチ移動感知信号に基づいて算出された座標変化量のうちＹ座標値の変化量がプラスであれば下方向へのスクロールを行うように、且つ、マイナスであれば上方向へのスクロールを行うようにスクロール方向を決定することを特徴とする請求項５に記載のウェブページのスクロールトップ属性を用いたスクロール遂行方法。
【請求項８】
ユーザ端末において、個別コンテンツ領域の一部を画面に表示するステップと、
前記ユーザ端末において、前記表示された画面にタッチされた状態の移動が感知されることによりタッチ移動感知信号をウェブページ提供サーバに伝送するステップと、
前記ウェブページ提供サーバにおいて、前記タッチ移動感知信号を受信すると、前記タッチ移動感知信号に基づいてタッチ状態の移動に伴うタッチ座標変化量を算出し、前記算出されたタッチ座標変化量に応じてスクロール方向を決定するステップと、
前記ウェブページ提供サーバにおいて、前記タッチ移動感知信号に基づいてタッチ状態の移動に伴うタッチ座標変化に見合うスクロール長さを計算するステップと、
前記ウェブページ提供サーバにおいて、前記計算されたスクロール長さに見合う分だけ前記個別コンテンツ領域のスクロールトップの値を変更するステップと、
を含むウェブページのスクロールトップ属性を用いたスクロール遂行方法。
【請求項９】
ユーザ端末において、個別コンテンツ領域の一部が画面に表示される場合、前記表示された画面にタッチされた状態の移動が感知されることによりタッチ移動感知信号を受信するステップと、前記タッチ移動感知信号に基づいてタッチ状態の移動に伴うタッチ座標変化量を算出するステップと、前記算出されたタッチ座標変化量に応じてスクロール方向を決定するステップと、前記タッチ移動感知信号に基づいてタッチ状態の移動に伴うタッチ座標変化に見合うスクロール長さを計算するステップと、前記計算されたスクロール長さに見合う分だけ前記個別コンテンツ領域のスクロールトップの値を変更するステップと、を含むウェブページ提供サーバにおけるウェブページのスクロールトップ属性を用いたスクロール遂行方法がプログラムとして記録されて電子装置にて読み取り可能な記録媒体。
【発明の詳細な説明】
【技術分野】
【０００１】
本発明は、ユーザ端末がウェブページにおいて個別コンテンツ領域の一部を画面に表示した場合にもスクロールトップ値を調節して実際に個別コンテンツ領域がスクロールされるかのようにユーザに感じさせるウェブページのスクロールトップ属性を用いたスクロール遂行システム及び方法に関する。
【背景技術】
【０００２】
無線インターネットサービスを提供するモバイル端末、すなわち、ユーザ端末は、無線ウェブブラウザを搭載してユーザがウェブページを閲覧できるようにする。また、モバイル端末の大きさの制約によって、無線ウェブブラウザやウェブアプリケーションにおいてはスクロールを介してコンテンツの全体領域のうちユーザが関心を持っているコンテンツ領域を選択して閲覧できるようにする。
【０００３】
一方、一部の端末においては、モバイルウェブページにおいてディブ（ｄｉｖ）（すなわち、個別コンテンツ領域）スクロールが支援されているが、ディブスクロールが支援されない端末もある。なお、ディブスクロールが支援される場合にも、開発者がタッチスタートイベントを任意にプリベントデフォルトにすれば、ディブをスクロール可能な機能まで使用できなくなる。
【０００４】
このため、いかなる端末においても、ディブスクロール機能を使用できるようにする必要がある。すなわち、ディブをスクロールするためにオーバフロー属性を用いることなく、ユーザによるタッチイベントを受けてディブのスクロールトップ値を調節して実際にディブがスクロールされるかのような効果を出すサービスを提供する必要がある。
【発明の概要】
【発明が解決しようとする課題】
【０００５】
上述した課題を解決するための本発明の目的は、ユーザ端末において、個別コンテンツ領域の一部が画面に表示される場合、タッチされた状態の移動が感知されれば、感知されたタッチ状態の移動に伴うタッチ座標変化量を算出し、算出されたタッチ座標変化量に応じてスクロール方向を決定し、感知されたタッチ状態の移動に伴うタッチ座標変化に見合うスクロール長さを計算して、計算されたスクロール長さに見合う分だけ個別コンテンツ領域のスクロールトップ値を調節することにより、実際に個別コンテンツ領域がスクロールされるかのようにユーザに感じさせるウェブページのスクロールトップ属性を用いたスクロール遂行システム及び方法を提供するところにある。
【課題を解決するための手段】
【０００６】
上述した課題を解決するための本発明の一側面によれば、ウェブページにおいて、個別コンテンツ領域の一部を画面に表示し、表示された画面に対するタッチされた状態の移動を感知するユーザ端末及びユーザ端末において、個別コンテンツ領域の一部が画面に表示される場合、タッチされた状態の移動が感知されれば、感知されたタッチ状態の移動に伴うタッチ座標変化量を算出し、算出されたタッチ座標変化量に応じてスクロール方向を決定し、感知されたタッチ状態の移動に伴うタッチ座標変化に見合うスクロール長さを計算して、計算されたスクロール長さに見合う分だけ個別コンテンツ領域のスクロールトップ値を調節するウェブページ提供サーバを有するウェブページのスクロールトップ属性を用いたスクロール遂行システムが提供される。
【０００７】
このとき、個別コンテンツ領域は、全体のウェブページにおいてディブによってそれぞれ区別され、ユーザ端末に表示される部分と表示されない部分を有することを特徴とする。
【０００８】
また、ウェブページ提供サーバは、タッチ状態の移動に伴って算出された座標変化量のうちＹ座標値の変化量がプラスであれば下方向へのスクロールを行うように、且つ、マイナスであれば上方向へのスクロールを行うようにスクロール方向を決定することを特徴とする。
【０００９】
上述した課題を解決するための本発明の他の側面によれば、ユーザ端末において、個別コンテンツ領域の一部が画面に表示される場合、表示された画面にタッチされた状態の移動感知に伴うタッチ移動感知信号を受信するタッチ移動感知信号受信部と、感知されたタッチ状態の移動に伴うタッチ座標変化量を算出し、算出されたタッチ座標変化量に応じてスクロール方向を決定するスクロール方向決定部と、感知されたタッチ状態の移動に伴うタッチ座標変化に見合うスクロール長さを計算するスクロール長さ計算部及び計算されたスクロール長さに見合う分だけ個別コンテンツ領域のスクロールトップ値を調節するスクロールトップ調節部と、を備えるウェブページ提供サーバが提供される。
【００１０】
このとき、個別コンテンツ領域は、全体のウェブページにおいてディブによってそれぞれ区別され、ユーザ端末に表示される部分と表示されない部分を有することを特徴とする。
【００１１】
また、スクロール方向決定部は、前記タッチ状態の移動に応じて算出された座標変化量のうちＹ座標値の変化量がプラスであれば下方向へのスクロールを行うように、且つ、マイナスであれば上方向へのスクロールを行うようにスクロール方向を決定することを特徴とする。
【００１２】
上述した課題を解決するための本発明のさらに他の側面によれば、ユーザ端末において、個別コンテンツ領域の一部を画面に表示するステップと、ユーザ端末において表示された画面にタッチされた状態の移動が感知されることによりタッチ移動感知信号をウェブページ提供サーバに伝送するステップと、ウェブページ提供サーバにおいてタッチ移動感知信号を受信すると、タッチ移動感知信号に基づいてタッチ状態の移動に伴うタッチ座標変化量を算出し、算出されたタッチ座標変化量に応じてスクロール方向を決定するステップと、ウェブページ提供サーバにおいてタッチ移動感知信号に基づいてタッチ状態の移動に伴うタッチ座標変化に見合うスクロール長さを計算するステップ及びウェブページ提供サーバにおいて計算されたスクロール長さに見合う分だけ個別コンテンツ領域のスクロールトップ値を調節するステップと、を含むウェブページのスクロールトップ属性を用いたスクロール遂行方法が提供される。
【００１３】
このとき、個別コンテンツ領域は、全体のウェブページにおいてディブによってそれぞれ区別され、ユーザ端末に表示される部分と表示されない部分を有することを特徴とする。
【００１４】
上述した課題を解決するための本発明のさらに他の側面によれば、ウェブページ提供サーバがウェブページのスクロールトップ属性を用いてスクロールを行う方法において、ユーザ端末において、個別コンテンツ領域の一部が画面に表示される場合、前記表示された画面にタッチされた状態の移動が感知されることによりタッチ移動感知信号を受信するステップと、タッチ移動感知信号に基づいてタッチ状態の移動に伴うタッチ座標変化量を算出するステップと、算出されたタッチ座標変化量に応じてスクロール方向を決定するステップと、タッチ移動感知信号に基づいてタッチ状態の移動に伴うタッチ座標変化に見合うスクロール長さを計算するステップと、計算されたスクロール長さに見合う分だけ個別コンテンツ領域のスクロールトップ値を調節するステップと、を含むウェブページのスクロールトップ属性を用いたスクロール遂行方法が提供される。
【００１５】
このとき、スクロール方向決定ステップは、タッチ移動感知信号に基づいて算出された座標変化量のうちＹ座標値の変化量がプラスであれば下方向へのスクロールを行うように、且つ、マイナスであれば上方向へのスクロールを行うようにスクロール方向を決定することを特徴とする。
【００１６】
上述した課題を解決するための本発明のさらに他の側面によれば、ユーザ端末において、個別コンテンツ領域の一部が画面に表示される場合、表示された画面にタッチされた状態の移動が感知されることによりタッチ移動感知信号を受信するステップと、タッチ移動感知信号に基づいてタッチ状態の移動に伴うタッチ座標変化量を算出するステップと、算出されたタッチ座標変化量に応じてスクロール方向を決定するステップと、タッチ移動感知信号に基づいてタッチ状態の移動に伴うタッチ座標変化に見合うスクロール長さを計算するステップ及び計算されたスクロール長さに見合う分だけ個別コンテンツ領域のスクロールトップ値を調節するステップを含むウェブページ提供サーバにおけるウェブページのスクロールトップ属性を用いたスクロール遂行方法がプログラムとして記録されて電子装置にて読み取り可能な記録媒体が提供される。
【発明の効果】
【００１７】
上述したように、本発明は、ユーザ端末において、個別コンテンツ領域の一部が画面に表示される場合、タッチされた状態の移動が感知されれば、感知されたタッチ状態の移動に伴うタッチ座標変化量を算出し、算出されたタッチ座標変化量に応じてスクロール方向を決定し、感知されたタッチ状態の移動に伴うタッチ座標変化に見合うスクロール長さを計算して、計算されたスクロール長さに見合う分だけ個別コンテンツ領域のスクロールトップ値を調節することにより、実際に個別コンテンツ領域がスクロールされるかのようにユーザに感じさせるウェブページのスクロールトップ属性を用いたスクロール遂行システム及び方法を提供することができる。
【００１８】
また、個別コンテンツ領域（すなわち、ディブ）スクロールが支援されない端末をはじめとして全てのユーザ端末において個別コンテンツ領域をスクロールできるようにし、タッチスタートイベントをプリベントデフォルトにした場合にもスクロール機能を行うことができる。
【図面の簡単な説明】
【００１９】
【図１】図１は、本発明の実施形態によるウェブページのスクロールトップ属性を用いたスクロール遂行システムの構成図である。
【図２】図２は、本発明の実施形態によるウェブページ提供サーバの内部構成図である。
【図３】図３は、本発明の実施形態によるユーザ端末の内部構成図である。
【図４】図４は、本発明の実施形態による個別コンテンツ領域を示す図である。
【図５】図５は、本発明の実施形態により個別コンテンツ領域のうちの一部が表示される画面の流れを示す図である。
【図６】図６は、本発明の実施形態によるウェブページのスクロールトップ属性を用いたスクロール遂行方法を示す手順図である。
【発明を実施するための形態】
【００２０】
以下、添付図面に基づき、本発明の好適な実施形態についてさらに詳細に説明する。添付図面に基づいて説明するに当たって、同じまたは対応する構成要素には同じ図面符号を附し、これについての重複する説明は省く。
【００２１】
図１は、本発明の実施形態によるウェブページのスクロールトップ属性を用いたスクロール遂行システムの構成図である。
【００２２】
図１を参照すると、本発明によるウェブページのスクロールトップ属性を用いたスクロール遂行システムは、ユーザ端末１００と、ウェブページ提供サーバ２００と、を備えていてもよい。
【００２３】
ユーザ端末１００は、ウェブページ提供サーバ２００と連動して、ウェブページにおいて個別コンテンツ領域、すなわち、ディブの一部を画面に表示し、ユーザの操作によって表示された画面に対するタッチされた状態の移動を感知すると、当該情報をウェブページ提供サーバ２００に伝送することができる。
【００２４】
ウェブページ提供サーバ２００は、ユーザ端末１００において個別コンテンツ領域の一部が画面に表示される場合、タッチされた状態の移動が感知されれば、感知されたタッチ状態の移動に伴うタッチ座標変化量を算出し、算出されたタッチ座標変化量に応じてスクロール方向を決定し、感知されたタッチ状態の移動に伴うタッチ座標変化に見合うスクロール長さを計算して、計算されたスクロール長さに見合う分だけ個別コンテンツ領域のスクロールトップ値を調節する。このとき、個別コンテンツ領域は、全体のウェブページにおいてディブによってそれぞれ区別され、ユーザ端末に表示される部分と表示されない部分を有することができる。
【００２５】
また、ウェブページ提供サーバ２００は、タッチ状態の移動に伴って算出された座標変化量のうちＹ座標値の変化量がプラス（＋）であれば下方向へのスクロールを行うように、且つ、マイナス（−）であれば上方向へのスクロールを行うようにスクロール方向を決定することができる。
【００２６】
図２は、本発明の実施形態によるウェブページ提供サーバの内部構成図である。
【００２７】
図２を参照すると、本発明によるウェブページ提供サーバ２００は、タッチ移動感知信号受信部２０２と、スクロール方向決定部２０４と、スクロール長さ計算部２０６及びスクロールトップ調節部２０８を備えていてもよい。
【００２８】
タッチ移動感知信号受信部２０２は、ユーザ端末において、個別コンテンツ領域の一部が画面に表示される場合、表示された画面にタッチされた状態の移動感知に伴うタッチ移動感知信号を受信することができる。このとき、個別コンテンツ領域は、全体のウェブページにおいてディブによってそれぞれ区別され、ユーザ端末に表示される部分と表示されない部分を有することができる。
【００２９】
スクロール方向決定部２０４は、感知されたタッチ状態の移動に伴うタッチ座標変化量を算出し、算出されたタッチ座標変化量に応じてスクロール方向を決定することができる。このとき、スクロール方向決定部２０４は、タッチ状態の移動に伴って算出された座標変化量のうちＹ座標値の変化量がプラスであれば下方向へのスクロールを行うように、且つ、マイナスであれば上方向へのスクロールを行うようにスクロール方向を決定することができる。
【００３０】
スクロール長さ計算部２０６は、感知されたタッチ状態の移動に伴うタッチ座標変化に見合うスクロール長さを計算することができる。
【００３１】
スクロールトップ調節部２０８は、計算されたスクロール長さに見合う分だけ個別コンテンツ領域のスクロールトップ値を調節することができる。
【００３２】
これにより、個別コンテンツ領域、すなわち、一つのディブ内に多くの内容の含まれていて画面に全て表示されない場合、ディブをスクロールしてユーザが閲覧できなかった部分の内容を全て閲覧できるようにする。
【００３３】
図３は、本発明の実施形態によるユーザ端末の内部構成図であり、図４は、本発明の実施形態による個別コンテンツ領域を示す図である。
【００３４】
図３を参照すると、本発明の実施形態によるユーザ端末は、通信部３０２と、操作部３０４と、表示部３０６と、音響出力部３０８と、格納部３１０及び制御部３００を備えていてもよい。
【００３５】
通信部３０２は、移動通信モジュールと、無線インターネットモジュール及び近距離通信モジュールなどを備えていてもよく、移動通信モジュールは、移動通信網上において基地局の無線信号を送受信し、無線インターネットモジュールは無線インターネット接続のためのモジュールであり、近距離通信モジュールは近距離通信のためのモジュールである。このとき、通信部３０２は、無線インターネットモジュールを介してウェブページ提供サーバ２００と連動することができる。
【００３６】
操作部３０４は、ユーザの動作制御のための操作に応じて入力データを発生する。操作部は、キーパッド、ドームスイッチ、タッチパッドなどから構成されてもよい。特に、タッチパッドは、表示部と互いにレイヤ構造をなすタッチスクリーンによって実現されてもよい。
【００３７】
表示部３０６は、ユーザ端末において処理される情報を画面に出力し、タッチ感知モジュールをさらに備えてユーザの操作による操作信号を受け取ることができる。すなわち、表示部３０６はウェブページにおいて、個別コンテンツ領域の一部を画面に表示し、表示された画面に対するユーザの操作によるタッチされた状態の移動を感知することができる。
【００３８】
音響出力部３０８は、通話モードなどにおいて通信部を介して受信された音声信号や格納部に格納されたオーディオデータを出力することができる。
【００３９】
格納部３１０は、制御部３００の処理及び制御のためのプログラムを格納することができ、入力または出力されるデータを一時的に格納することができる。
【００４０】
制御部３００は、通常、端末各部の動作を制御してユーザ端末の全般的な動作を制御する。
【００４１】
また、制御部３００は、ウェブページにおいて個別コンテンツ領域の一部が画面に表示された場合、表示された画面に対するユーザの操作によるタッチされた状態の移動が感知されれば、当該情報をウェブページ提供サーバに伝送してもよい。
【００４２】
このとき、図４に示すように、本発明の実施形態による個別コンテンツ領域４００は、画面に表示されていないが内容がある領域４０４、４０６と、画面に実際に表示される領域４０２と、を有していてもよい。
【００４３】
図５は、本発明の実施形態により個別コンテンツ領域のうちの一部が表示される画面の流れを示す図である。
【００４４】
図５を参照すると、本発明の実施形態による個別コンテンツ領域５００は、ｔｅｓｔ１〜ｔｅｓｔ８のコンテンツを含み、ユーザ端末に表示される第１ウェブページ画面５０２はｔｅｓｔ３〜ｔｅｓｔ５のコンテンツを含むことができる。
【００４５】
このとき、ユーザの操作に応じて端末においてタッチされた状態の移動が感知されれば、感知されたタッチ状態の移動に伴うタッチ座標変化量が算出され、算出されたタッチ座標変化量に応じてスクロール方向が決定され、感知されたタッチ状態の移動に伴うタッチ座標変化に見合うスクロール長さが計算され、計算されたスクロール長さに見合う分だけ個別コンテンツ領域のスクロールトップ値が調節されてもよい。
【００４６】
例えば、タッチ状態の移動に伴って算出された座標変化量のうちＹ座標値の変化量がプラスであれば下方向へのスクロールを行って、ユーザ端末はｔｅｓｔ２〜ｔｅｓｔ４のコンテンツを含む第２ウェブページ画面５０４を表示することができる。
【００４７】
図６は、本発明の実施形態によるウェブページのスクロールトップ属性を用いたスクロール遂行方法を示す手順図である。
【００４８】
図６を参照すると、本発明によるユーザ端末において、個別コンテンツ領域の一部を画面に表示し（Ｓ６０２）、表示された画面にユーザの操作によるタッチされた状態の移動が感知されることによりタッチ移動感知信号をウェブページ提供サーバに伝送する（Ｓ６０４）。
【００４９】
このとき、個別コンテンツ領域は、全体のウェブページにおいてディブによってそれぞれ区別され、ユーザ端末に表示される部分と表示されない部分を有していてもよい。
【００５０】
ウェブページ提供サーバにおいてタッチ移動感知信号を受信すると、タッチ移動感知信号に基づいてタッチ状態の移動に伴うタッチ座標変化量を算出し、算出されたタッチ座標変化量に応じてスクロール方向を決定する（Ｓ６０６）。
【００５１】
このとき、ウェブページ提供サーバは、タッチ移動感知信号に基づいて算出された座標変化量のうちＹ座標値の変化量がプラスであれば下方向へのスクロールを行うように、且つ、マイナスであれば上方向へのスクロールを行うようにスクロール方向を決定することができる。
【００５２】
また、ウェブページ提供サーバにおいてタッチ移動感知信号に基づいてタッチ状態の移動に伴うタッチ座標変化に見合うスクロール長さを計算し（Ｓ６０８）、ウェブページ提供サーバにおいて計算されたスクロール長さに見合う分だけ個別コンテンツ領域のスクロールトップ値を調節する（Ｓ６１０）。
【００５３】
一方、本発明の他の側面によれば、ウェブページ提供サーバにおいてウェブページのスクロールトップ属性を用いてスクロールを行う方法において、ユーザ端末において、個別コンテンツ領域の一部が画面に表示される場合、表示された画面にタッチされた状態の移動が感知されることによりタッチ移動感知信号を受信するステップと、タッチ移動感知信号に基づいてタッチ状態の移動に伴うタッチ座標変化量を算出するステップと、算出されたタッチ座標変化量に応じてスクロール方向を決定するステップと、タッチ移動感知信号に基づいてタッチ状態の移動に伴うタッチ座標変化に見合うスクロール長さを計算するステップ及び計算されたスクロール長さに見合う分だけ個別コンテンツ領域のスクロールトップ値を調節するステップを含むウェブページのスクロールトップ属性を用いたスクロール遂行方法が提供され得る。
【００５４】
また、本発明のさらに他の側面によれば、ユーザ端末において、個別コンテンツ領域の一部が画面に表示される場合、表示された画面にタッチされた状態の移動が感知されることによりタッチ移動感知信号を受信するステップと、タッチ移動感知信号に基づいてタッチ状態の移動に伴うタッチ座標変化量を算出するステップと、算出されたタッチ座標変化量に応じてスクロール方向を決定するステップと、タッチ移動感知信号に基づいてタッチ状態の移動に伴うタッチ座標変化に見合うスクロール長さを計算するステップ及び計算されたスクロール長さに見合う分だけ個別コンテンツ領域のスクロールトップ値を調節するステップを含むウェブページ提供サーバにおけるウェブページのスクロールトップ属性を用いたスクロール遂行方法がプログラムとして記録されて電子装置にて読み取り可能な記録媒体に記録され得る。
【００５５】
このようなウェブページ提供サーバにおけるウェブページのスクロールトップ属性を用いたスクロール遂行方法はプログラムとして作成可能であり、プログラムを構成するコード及びコードセグメントは当該分野のプログラマーによって容易に推論され得る。また、ウェブページ提供サーバにおけるウェブページのスクロールトップ属性を用いたスクロール遂行方法に関するプログラムは、電子装置にて読み取り可能な情報格納媒体に格納され、電子装置によって読み取られて実行され得る。
【００５６】
このように、本発明が属する技術分野の当業者は、本発明がその技術的思想や必須的特徴を変更することなく他の具体的な実施形態として実施可能であるということが理解できるであろう。よって、上述した実施形態はあらゆる面において例示的なものであり、限定的なものではないと理解さるべきである。本発明の範囲は前記詳細な説明よりは後述する特許請求の範囲によって開示され、特許請求の範囲の意味及び範囲、並びにその等価概念から導き出されるあらゆる変更または変形が本発明の範囲に含まれるものと解釈さるべきである。
【産業上の利用可能性】
【００５７】
本発明によれば、ユーザ端末において、個別コンテンツ領域の一部が画面に表示される場合、タッチされた状態の移動が感知されれば、感知されたタッチ状態の移動に伴うタッチ座標変化量を算出し、算出されたタッチ座標変化量に応じてスクロール方向を決定し、感知されたタッチ状態の移動に伴うタッチ座標変化に見合うスクロール長さを計算して、計算されたスクロール長さに見合う分だけ個別コンテンツ領域のスクロールトップ値を調節することにより、実際に個別コンテンツ領域がスクロールされるかのようにユーザに感じさせるウェブページのスクロールトップ属性を用いたスクロール遂行システム及び方法を提供するのに用いることができる。
【符号の説明】
【００５８】
１００：ユーザ端末
２００：ウェブページ提供サーバ
２０２：タッチ移動感知信号受信部
２０４：スクロール方向決定部
２０６：スクロール長さ計算部
２０８：スクロールトップ調節部
【図１】
0005740060.tif 000002
【図２】
0005740060.tif 000003
【図３】
0005740060.tif 000004
【図４】
0005740060.tif 000005
【図５】
0005740060.tif 000006
【図６】
0005740060.tif 000007